(57)【要約】  本発明は、色較正に用いられる色較正用ビュアーであって、波長４４０ｎｍ以上４７０ｎｍ以下である第１波長域のピークトップの発光強度を１としたとき、波長５０５ｎｍの相対強度が０．８０以上０．９５以下であり、かつ波長６２０ｎｍの相対強度が０．６５以上０．８０以下であり、波長５０５ｎｍの発光強度をＡとし、波長６２０ｎｍの発光強度をＢとしたとき、ＡおよびＢの比率（Ａ／Ｂ）は、１．００以上１．４６以下であることを特徴とする色較正用ビュアーを提供することで、上記課題を解決する。
2019078288.tif 000002
【特許請求の範囲】
【請求項１】
色較正に用いられる色較正用ビュアーであって、
波長４４０ｎｍ以上４７０ｎｍ以下である第１波長域のピークトップの発光強度を１としたとき、波長５０５ｎｍの相対強度が０．８０以上０．９５以下であり、かつ波長６２０ｎｍの相対強度が０．６５以上０．８０以下であり、
波長５０５ｎｍの発光強度をＡとし、波長６２０ｎｍの発光強度をＢとしたとき、ＡおよびＢの比率（Ａ／Ｂ）は、１．００以上１．４６以下であることを特徴とする色較正用ビュアー。
【請求項２】
前記第１波長域のピークトップの発光強度を１としたとき、波長３９０ｎｍ以上４３０ｎｍ以下である第２波長域のピークトップの相対強度が０．６０以上１．００以下であることを特徴とする請求項１に記載の色較正用ビュアー。
【請求項３】
ＬＥＤと、前記ＬＥＤの光が出射する面側に配置された透過率調整層とを有することを特徴とする請求項１または請求項２に記載の色較正用ビュアー。
【請求項４】
前記ＬＥＤが、紫励起ＬＥＤであり、発光スペクトルのピーク波長が３９０ｎｍ以上４１５ｎｍ以下であることを特徴とする請求項３に記載の色較正用ビュアー。
【請求項５】
請求項１から請求項４までのいずれかの請求項に記載の色較正用ビュアーと、
色較正用カラーチャートとを有する色較正セットであって、
前記色較正用カラーチャートは、透明基板と、前記透明基板上に形成されたカラーバー群と、
を有し、
前記カラーバー群は、赤、緑、青、第１色、第２色および白の少なくとも６色のカラーバーが、順不同でパターン状に配列されて構成され、
前記第１色の座標点は、ｘｙ色度図上で（０．３５１、０．６４９）、（０．５４７、０．４５３）、（０．３８０、０．５０６）、（０．４３３、０．４６４）の４点に囲まれた領域内にあり、
前記第２色の座標点は、ｘｙ色度図上で、（０．１２５、０．４８９）、（０．１１２、０．２２９）、（０．２７０、０．４０７）、（０．２２４、０.２４２）の４点に囲まれる領域内にあり、
赤色カラーバーの透過スペクトルのピーク波長が６００ｎｍ以上６８０ｎｍ以下、
緑色カラーバーの透過スペクトルのピーク波長が４９５ｎｍ以上５７０ｎｍ以下、
青色カラーバーの透過スペクトルのピーク波長が４３０ｎｍ以上４９０ｎｍ以下、
第１色カラーバーの透過スペクトルのピーク波長が５４０ｎｍ以上５９５ｎｍ以下、
第２色カラーバーの透過スペクトルのピーク波長が４７０ｎｍ以上５１５ｎｍ以下であることを特徴とする色較正セット。
【発明の詳細な説明】
【技術分野】
【０００１】
本発明は、色較正用ビュアー、およびそれを用いた色較正セットに関する。
【背景技術】
【０００２】
撮像機器の分野においては、出力画像の高解像度化が進められており、色に関しても、色調を忠実に再現する色再現性の向上が求められている。撮像機器は、正しい再現色をもって出力画像を表示するために、色較正セットを用いて、撮像機器での再現色と色較正セットでの再現色とを比較し、再現色に相違がある場合は上記色較正セットに基づき較正される。【０００３】
色較正に用いられる色較正セットは、任意の色のカラーバーから構成されたカラーチャートと、上記カラーチャートを照射するための光源であるビュアーと、を備える（例えば、特許文献１〜７）。
【先行技術文献】
【特許文献】
【０００４】
【特許文献１】特開２００１−８３０１１号公報
【特許文献２】特開平１０−０３１１９２号公報
【特許文献３】実開平０３−１０１０９１号公報
【特許文献４】実開昭６２−０４１１４６号公報
【特許文献５】実開昭５９−１３４９６５号公報
【特許文献６】実開昭５９−１３４９６４号公報
【特許文献７】実開昭５９−０７３８７２号公報
【発明の概要】
【発明が解決しようとする課題】
【０００５】
撮像機器により表示される出力画像は、色再現性を向上するために、色域の拡大が図られている。これに伴い、撮像機器の色較正に用いられる色較正セットについても、より正確な色較正を行うといった観点から、色域の拡大化（以下、広色域化と称する場合がある。）が望まれている。ここで、色較正セットとは、例えば色較正に用いられるカラーチャートおよびビュアーのセットを指す。本発明の発明者等は、このような色較正セットに用いられるカラーチャートを広色域化した広色域カラーチャートについて研究を行っている。一方、本発明の発明者等は、上記研究を行う中で、撮像機器のより正確な色較正を行うにあたっては、広色域カラーチャートに対応したビュアーが必要であるという新たな課題を発見した。なお、例えば特許文献１〜７に示すように、従来はビュアーとして蛍光灯が用いられている。【０００６】
本発明は、上記問題点に鑑みてなされたものであり、撮像機器の正確な色較正を行うことができる、広色域カラーチャートに対応した色較正用ビュアーを提供することを主目的とする。
【課題を解決するための手段】
【０００７】
本発明においては、色較正に用いられる色較正用ビュアーであって、波長４４０ｎｍ以上４７０ｎｍ以下である第１波長域のピークトップの発光強度を１としたとき、波長５０５ｎｍの相対強度が０．８０以上０．９５以下であり、かつ波長６２０ｎｍの相対強度が０．６５以上０．８０以下であり、波長５０５ｎｍの発光強度をＡとし、波長６２０ｎｍの発光強度をＢとしたとき、ＡおよびＢの比率（Ａ／Ｂ）は、１．００以上１．４６以下であることを特徴とする色較正用ビュアーを提供する。【０００８】
本発明によれば、所定のスペクトル特性を有することにより、ＣＩＥ標準光源Ｄ６５に近似させることができ、撮像機器の正確な色較正を行うことができる、広色域カラーチャートに対応した色較正用ビュアーを提供することができる。【０００９】
上記発明においては、上記第１波長域のピークトップの発光強度を１としたとき、波長３９０ｎｍ以上４３０ｎｍ以下である第２波長域のピークトップの相対強度が０．６０以上１．００以下であることが好ましい。よりＣＩＥ標準光源Ｄ６５に近似させることができ、撮像機器の正確な色較正を行うことができる、広色域カラーチャートに対応した色較正用ビュアーを提供する。【００１０】
上記発明においては、ＬＥＤと、上記ＬＥＤの光が出射する面側に配置された透過率調整層とを有することが好ましい。ＬＥＤと透過率調整層とを組み合わせることで、色較正用ビュアーを効果的にＣＩＥ標準光源Ｄ６５に近似させることができる。【００１１】
上記発明においては、上記ＬＥＤが、紫励起ＬＥＤであり、発光スペクトルのピーク波長が３９０ｎｍ以上４１５ｎｍ以下であることが好ましい。紫励起ＬＥＤと透過率調整層とを組み合わせることで、色較正用ビュアーを効果的にＣＩＥ標準光源Ｄ６５に近似させることができる。【００１２】
また、本発明においては、上述した較正用ビュアーと、色較正用カラーチャートとを有する色較正セットであって、上記色較正用カラーチャートは、透明基板と、上記透明基板上に形成されたカラーバー群と、を有し、上記カラーバー群は、赤、緑、青、第１色、第２色および白の少なくとも６色のカラーバーが、順不同でパターン状に配列されて構成され、上記第１色の座標点は、ｘｙ色度図上で（０．３５１、０．６４９）、（０．５４７、０．４５３）、（０．３８０、０．５０６）、（０．４３３、０．４６４）の４点に囲まれた領域内にあり、上記第２色の座標点は、ｘｙ色度図上で、（０．１２５、０．４８９）、（０．１１２、０．２２９）、（０．２７０、０．４０７）、（０．２２４、０.２４２）の４点に囲まれる領域内にあり、赤色カラーバーの透過スペクトルのピーク波長が６００ｎｍ以上６８０ｎｍ以下、緑色カラーバーの透過スペクトルのピーク波長が４９５ｎｍ以上５７０ｎｍ以下、青色カラーバーの透過スペクトルのピーク波長が４３０ｎｍ以上４９０ｎｍ以下、第１色カラーバーの透過スペクトルのピーク波長が５４０ｎｍ以上５９５ｎｍ以下、第２色カラーバーの透過スペクトルのピーク波長が４７０ｎｍ以上５１５ｎｍ以下であることを特徴とする色較正セットを提供する。【００１３】
本発明によれば、上述した色較正用ビュアーと、広色域の色較正用カラーチャートとを有することにより、撮像機器の正確な色較正を行うことができる。
【発明の効果】
【００１４】
本発明によれば、撮像機器の正確な色較正を行うことができる、広色域カラーチャートに対応した色較正用ビュアーを提供することができるという効果を奏する。
【図面の簡単な説明】
【００１５】
【図１】色域を説明するためのｘｙ色度図である。
【図２】波長３８０ｎｍ以上７８０ｎｍ以下において、最大発光強度となる波長の発光強度を１としたときの相対強度を示すグラフである。
【図３】平均演色評価数（Ｒａ）、演色評価数（Ｒ１〜Ｒ８）および特殊演色評価数（Ｒ９〜Ｒ１５）を示すグラフである。
【図４】演色評価数および特殊演色評価数を説明するためのｘｙ色度図である。
【図５】ＣＩＥＬＡＢ空間における色差ΔＥ＊ａｂを示すグラフである。
【図６】広色域カラーチャートを説明するためのｘｙ色度図である。
【図７】ＣＩＥＬＡＢ空間における色差ΔＥ＊ａｂを示すグラフである。
【図８】波長３８０ｎｍ以上７８０ｎｍ以下において、最大発光強度となる波長の発光強度を１としたときの相対強度を示すグラフである。
【図９】本発明の色較正用ビュアーを説明するためのｘｙ色度図である。
【図１０】本発明の色較正用ビュアーの発光スペクトル特性を規定するためのシミュレーション結果を示すグラフである。
【図１１】本発明の色較正用ビュアーの一例を示す模式図である。
【図１２】色較正用カラーチャートの一例を示す概略平面図である。
【図１３】色較正用カラーチャートが示す分光透過スペクトルの一例を示すイメージグラフである。
【図１４】色較正用カラーチャートの色域の一例を示すｘｙ色度図である。
【図１５】透過スペクトルのピーク波長および基準波長の規定方法を説明する説明図である。
【図１６】色較正用カラーチャートが示す分光透過スペクトルの他の例を示すイメージグラフである。
【図１７】色較正用カラーチャートが示す分光透過スペクトルの他の例を示すイメージグラフである。
【図１８】色較正用カラーチャートの色域の他の例を示すｘｙ色度図である。
【図１９】色較正用カラーチャートの色域におけるＣｙ、ＹｅおよびＭｇの各色度座標の位置を説明するｘｙ色度図である。
【図２０】平均演色評価数（Ｒａ）、演色評価数（Ｒ１〜Ｒ８）および特殊演色評価数（Ｒ９〜Ｒ１５）を示すグラフである。
【発明を実施するための形態】
【００１６】
以下、本発明の色較正用ビュアーおよび色較正セットについて説明する。
【００１７】
Ｉ．色較正用ビュアー
本発明の色較正用ビュアーは、色較正に用いられる構成であって、波長４４０ｎｍ以上４７０ｎｍ以下である第１波長域のピークトップの発光強度を１としたとき、波長５０５ｎｍの相対強度が０．８０以上０．９５以下であり、かつ波長６２０ｎｍの相対強度が０．６５以上０．８０以下であり、波長５０５ｎｍの発光強度をＡとし、波長６２０ｎｍの発光強度をＢとしたとき、ＡおよびＢの比率（Ａ／Ｂ）は、１．００以上１．４６以下であることを特徴とする。
【００１８】
本発明の色較正用ビュアーについて、図を参照して説明する。図１は、色域を説明するためのｘｙ色度図である。図２は、波長３８０ｎｍ以上７８０ｎｍ以下において、最大発光強度となる波長の発光強度を１としたときの相対強度を示すグラフである。図３は、平均演色評価数（Ｒａ）、演色評価数（Ｒ１〜Ｒ８）および特殊演色評価数（Ｒ９〜Ｒ１５）を示すグラフである。図４は、演色評価数および特殊演色評価数を説明するためのｘｙ色度図である。図５は、ＣＩＥＬＡＢ空間における色差ΔＥ＊ａｂを示すグラフである。図６は、広色域カラーチャートを説明するためのｘｙ色度図である。図７は、ＣＩＥＬＡＢ空間における色差ΔＥ＊ａｂを示すグラフである。図８は、波長３８０ｎｍ以上７８０ｎｍ以下において、最大発光強度となる波長の発光強度を１としたときの相対強度を示すグラフである。図９は、本発明の色較正用ビュアーを説明するためのｘｙ色度図である。
【００１９】
従来、撮像機器により表示される出力画像は、色再現性を向上するために、色域の拡大が図られている。すなわち、撮像機器での再現色が広色域化されている。ここで、「色域」とは、可視領域のうち特定の範囲をいい、例えば図１に示すように、ＣＩＥ（国際照明委員会）が定めたＸＹＺ表色系（ＣＩＥ１９３１−ＸＹＺ表色系）のｘｙ色度図を使用して表わすことができる。色域は、ｘｙ色度図においてはＲ、Ｇ、Ｂの各色の頂点となる色度座標を定めそれぞれを直線で結んだ三角形で示すことができる。色域は従来から種々の色域規格により定められており、撮像機器を含む映像業界では、例えば、図１に示すようなＢＴ．７０９やＢＴ．２０２０規格といった、広色域を網羅する規格が用いられている。また、図１に示すｘｙ色度図において、白点となるＣＩＥ標準光源Ｄ６５は、プロット×で示す。
【００２０】
撮像機器は、正しい再現色をもって出力画像を表示するために、色較正セットを用いて、撮像機器での再現色と色較正セットでの再現色とを比較し、再現色に相違がある場合は色較正セットに基づき較正される。したがって、より正確な色較正を行うためには、撮像機器での再現色の広色域化に伴って、色較正セットでの再現色に対しても広色域化する必要がある。このような実情に鑑み、本発明の発明者等は、色較正セットに用いられるカラーチャートを広色域化した広色域カラーチャートについて研究を行っている。具体的には、上述したＢＴ．７０９やＢＴ．２０２０規格に対応した広色域カラーチャートについて研究を行っている。一方、色較正セットにおいて、カラーチャートを照射するための色較正用ビュアーとしては従来から蛍光灯が用いられており、特に研究が行われていないのが現状である。そこで、本発明の発明者等は、色較正用ビュアーについて検討を行った。具体的には、色較正用ビュアーとして、理想光源となるＣＩＥ標準光源Ｄ６５に近似した光源についての検討を行った。
【００２１】
まず、本発明の発明者等は、従来、色較正用ビュアーとして用いられている蛍光灯の透過スペクトルと、理想光源であるＣＩＥ標準光源Ｄ６５の透過スペクトルとを比較した。その結果、図２に示すように、ＣＩＥ標準光源Ｄ６５の透過スペクトルと蛍光灯の透過スペクトルとの波形が、互いに大きく相違していることが分かった。また、蛍光灯の透過スペクトルには輝線が入っていることが確認できた。輝線が入った透過スペクトルを有する蛍光灯の場合、対象物の彩度が急激に上昇する場合があり、自然界での色の見え方と必ずしも一致するとは言えない。このように、従来、色較正用ビュアーとして用いられている蛍光灯は、ＣＩＥ標準光源Ｄ６５に近似した光源であるとは言えないことが分かった。
そこで、本発明の発明者等は、蛍光灯に代わる光源として、３種のＬＥＤ光源を準備し、当該３種のＬＥＤ光源を用いた例（光源例１〜光源例３）について、透過スペクトルを測定し、ＣＩＥ標準光源Ｄ６５の透過スペクトルと比較した。その結果、図２に示すように、光源例１〜光源例３の透過スペクトルには輝線が入らなかったものの、透過スペクトルの波形は、ＣＩＥ標準光源Ｄ６５のそれとは大きく相違しており、光源例１〜光源例３についてもＣＩＥ標準光源Ｄ６５に近似した光源であるとは言えないことが分かった。
【００２２】
本発明の発明者等は、光源例１〜光源例３についてさらなる評価を行った。光源例１〜光源例３の評価は、一般的な光源評価に用いられる「平均演色評価数」、「演色評価数」および「特殊演色評価数」を用いて行った。具体的には、平均演色評価数（Ｒａ）、演色評価数（Ｒ１〜Ｒ８）および特殊演色評価数（Ｒ９〜Ｒ１５）を用いて、ＣＩＥ標準光源Ｄ６５と３種のＬＥＤ光源との色差を比較した。その結果、図３に示すように、演色評価数（Ｒ１〜Ｒ８）を平均した平均演色評価数（Ｒａ）は、３種の光源例のいずれも９７よりも高い値を示し、高演色性を示すという結果が得られた。
【００２３】
本発明の発明者等は、上述のように、光源例１〜光源例３およびＣＩＥ標準光源Ｄ６５の透過スペクトルの波形の相違から、光源例１〜光源例３がＣＩＥ標準光源Ｄ６５に近似した光源であるとは言えないという結果が得られたのにもかかわらず、光源例１〜光源例３の平均演色評価数（Ｒａ）はいずれも９７以上となり、高演色性を示すという結果が得られたことに基づいてさらなる検討を重ねた。その結果、次のような新たな問題を発見した。すなわち、演色評価数に用いているＲ１〜Ｒ８の「試験色」は、多くの物体の平均的代表色であることから、中彩度の色で設計されている。その一方で、現在の撮像機器は、非常に高彩度で広色域を表現できるような映像技術を有することから、当該撮像機器に用いられる色較正セットについても高彩度で広色域化が求められており、このような色較正セットにおける色較正用ビュアーを評価するにあたっては、演色評価数を用いた中彩度の評価だけでは不十分ではないかという新たな問題を発見した。
なお、演色評価数（Ｒ１〜Ｒ８）および特殊演色評価数（Ｒ９〜Ｒ１５）が中彩度での評価であるということは、図４に示すｘｙ色度図において、ＣＩＥ標準光源Ｄ６５の演色評価数（Ｒ１〜Ｒ８）および特殊演色評価数（Ｒ９〜Ｒ１５）が、ＢＴ．７０９やＢＴ．２０２０規格よりも狭い領域にプロットされ、ＢＴ．７０９やＢＴ．２０２０規格等の広色域に十分に対応できていないことから明らかである。
【００２４】
上記問題を発見した本発明の発明者等は、高彩度での評価を行うために、ＢＴ．７０９やＢＴ．２０２０規格に対応した広色域カラーチャートの透過率データを用いて、ＣＩＥ標準光源Ｄ６５と、光源例１〜光源例３とのＣＩＥＬＡＢ空間における色差ΔＥ＊ａｂを求めて評価した。その結果、図５に示すように、特にＢｌｕｅおよびＭａｇｅｎｔａ領域において、色差に大きなズレが生じることが分かった。また、このような結果が得られたことから、広色域化された色較正セットにおける色較正用ビュアーを評価するにあたっては、平均演色評価数（Ｒａ）、演色評価数（Ｒ１〜Ｒ８）および特殊演色評価数（Ｒ９〜Ｒ１５）での評価だけでは、不十分であることが明らかとなった。さらに、本発明の発明者等は、図５で説明した光源例１〜光源例３に対して行った評価において、良好な結果が得られる光源の場合、よりＣＩＥ標準光源Ｄ６５に近似し、広色域化に対応した光源として色較正用ビュアーに用いることができるという新たな知見を得た。本発明は、上記知見に基づいてなされたものである。
【００２５】
なお、色差ΔＥ＊ａｂは、ＣＩＥ１９７６規格の（Ｌ＊、ａ＊、ｂ＊）空間表色系による色差公式（ΔＥ＊ａｂ＝｛（ΔＬ＊）２＋（Δａ＊）２＋（Δｂ＊）２｝１／２）から求められる値である。また、Ｌ＊、ａ＊およびｂ＊は、以下の式を用いて三刺激値Ｘ、ＹおよびＺから変換して算出される。
Ｌ＊  ＝  １１６（Ｙ／Ｙｎ）１／３−１６  
ａ＊  ＝  ５００｛（Ｘ／Ｘｎ）１／３−（Ｙ／Ｙｎ）１／３｝
ｂ＊  ＝  ２００｛（Ｙ／Ｙｎ）１／３−（Ｚ／Ｚｎ）１／３｝
ここで、関数ｆ（Ｘ／Ｘｎ）は、
ｆ（Ｘ／Ｘｎ）＝（Ｘ／Ｘｎ）１／３      （Ｘ／Ｘｎ＞０．００８８５６）
ｆ（Ｘ／Ｘｎ）＝７．７８７（Ｘ／Ｘｎ）＋１６／１１６      （Ｘ／Ｘｎ≦０．００８８５６）
にて定義される。なお、関数ｆ（Ｙ／Ｙｎ）およびｆ（Ｚ／Ｚｎ）についても同様に定義される。上記式において、Ｘｎ、ＹｎおよびＺｎは完全反射面三刺激値であり、Ｙｎ＝１００と規格化する。一方、上記式はＸ／Ｘｎ＞０．００８８５６、Ｙ／Ｙｎ＞０．００８８５６、Ｚ／Ｚｎ＞０．００８８５６範囲で行い、それ以外に関しては次の補正式を用いる。
Ｌ＊  ＝  １１６  ｆ（Ｙ／Ｙｎ）−１６  
ａ＊  ＝  ５００｛ｆ（Ｘ／Ｘｎ）−ｆ（Ｙ／Ｙｎ）｝
ｂ＊  ＝２００｛ｆ（Ｙ／Ｙｎ）−ｆ（Ｚ／Ｚｎ）｝
【００２６】
また、図５に示すグラフの縦軸ΔＥ＊ａｂは、３．２よりも小さい範囲（１．６＜ΔＥ＊ａｂ＜３．２）がＡ級許容色差と言われ、一般的には同じ色として認識されるレベルと言われている。また、ΔＥ＊ａｂが３．２以上６．５以下の範囲（３．２≦ΔＥ＊ａｂ≦６．５）がＢ級許容色差と言われ、印象では同じ色として扱えるレベルと言われ、それ以外の範囲（６．５＜ΔＥ＊ａｂ＜１３．０）がＣ級許容色差と言われ、ＪＩＳ標準色票、マンセル色票等の１歩度に相当する色差を感じるレベルと言われている。
【００２７】
さらに、図５に示す評価を行う際に用いた広色域カラーチャートは、本発明の発明者等によって設計されたものであり、図６に示すように、ｘｙ色度図において、ＢＴ．７０９やＢＴ．２０２０規格に対応する。なお、広色域カラーチャートのＢＴ．７０９規格に対する対応面積比は１００％であり、ＢＴ．２０２０規格に対する対応面積比は９８％である。このような広色域カラーチャートの詳細については、後述する「ＩＩ．色較正セット」の項に記載の色較正用カラーチャートと同じとすることができるため、ここでの説明は省略する。
【００２８】
本発明によれば、波長４４０ｎｍ以上４７０ｎｍ以下である第１波長域のピークトップの発光強度を１としたとき、波長５０５ｎｍの相対強度が０．８０以上０．９５以下であり、かつ波長６２０ｎｍの相対強度が０．６５以上０．８０以下であり、波長５０５ｎｍの発光強度をＡとし、波長６２０ｎｍの発光強度をＢとすると、ＡおよびＢの比率（Ａ／Ｂ）は、１．００以上１．４６以下である、色較正用ビュアーを提供することで、図５で説明した光源例１〜光源例３に対して行った評価において、良好な結果を得ることができる。具体的には、図７に示すように、ＣＩＥＬＡＢ空間におけるいずれの色領域においても、ΔＥ＊ａｂが３．２よりも小さい値となった。また、本発明の色較正用ビュアーの発光スペクトルを測定し、ＣＩＥ標準光源Ｄ６５の発光スペクトルと比較したところ、図８に示すように、波長４３０ｎｍ以上６５０ｎｍ以下付近の領域において、特にＣＩＥ標準光源Ｄ６５の波形に近似した波形を有することが分かった。さらに、本発明の色較正用ビュアーがＣＩＥ標準光源Ｄ６５に近似していることを確認するために、ＢＴ．７０９およびＢＴ．２０２０規格に対応したサンプルのｘｙ色度図上での座標を、色較正用ビュアーおよびＣＩＥ標準光源Ｄ６５のそれぞれから算出して比較した。その結果、図９（ａ）、（ｂ）に示すように、本発明の色較正用ビュアーから算出した座標と、ＣＩＥ標準光源Ｄ６５から算出した座標とが、ほぼ一致していることが分かった。このことから、本発明の色較正用ビュアーがＣＩＥ標準光源Ｄ６５に近似していることが明らかとなった。
【００２９】
以下、本発明の色較正用ビュアーについて説明する。
【００３０】
Ａ．色較正用ビュアーのスペクトル特性
本発明の色較正用ビュアーは、色較正に用いられる構成であって、波長４４０ｎｍ以上４７０ｎｍ以下である第１波長域のピークトップの発光強度を１としたとき、波長５０５ｎｍの相対強度が０．８０以上０．９５以下であり、かつ波長６２０ｎｍの相対強度が０．６５以上０．８０以下であり、波長５０５ｎｍの発光強度をＡとし、波長６２０ｎｍの発光強度をＢとしたとき、ＡおよびＢの比率（Ａ／Ｂ）は、１．００以上１．４６以下であることを特徴とする。
【００３１】
本発明の色較正用ビュアーの発光強度は、トプコン社製ＳＲ−３、もしくはＳＲ−３ＡＲを用い、以下の測定条件の下で測定する。
＜測定条件＞
測定距離：発光面から測定器レンズの距離を１２００ｍｍとする
測定角：０．１°
測定モード：オート
測定環境：暗室  １ｌｘ以下（０．５ｌｘ以下が望ましい。）
測定面：発光面の中心を測定
測定環境：温度２０℃〜３０℃  湿度８０％以下
なお、上記測定に先立ち、ＬＥＤ光源の色温度を安定させる必要があることから、ＬＥＤ光源に通電した後、３０分以上の安定待機時間をおいた後、測定する。
【００３２】
ここで、「第１波長域のピークトップ」とは、第１波長域である波長４４０ｎｍ以上４７０ｎｍ以下の領域にあるピークトップであり、例えば、図１０に示す第１波長域における矢印の地点をいう。なお、図１０は、本発明の色較正用ビュアーの発光スペクトル特性を規定するためのシミュレーション結果を示すグラフである。
【００３３】
第１波長域は、波長４４０ｎｍ以上４７０ｎｍ以下の領域であり、第１波長域は、例えば、波長４４５ｎｍ以上であってもよく、波長４５０ｎｍ以上であってもよい。また、第１波長域は、例えば、波長４６５ｎｍ以下であってもよく、波長４６０ｎｍ以下であってもよい。さらには、第１波長域は、波長４５４ｎｍであってもよい。
【００３４】
本発明の色較正用ビュアーは、第１波長域のピークトップの発光強度を１としたとき、波長５０５ｎｍの相対強度が０．８０以上０．９５以下である。波長５０５ｎｍの相対強度は、例えば、０．８５７以上であってもよく、また０．９２６以下であってもよい。なお、第１波長域のピークトップの発光強度を１としたときの波長５０５ｎｍの相対強度は、発光強度の測定結果から算出することができる。
【００３５】
本発明の色較正用ビュアーは、第１波長域のピークトップの発光強度を１としたとき、波長６２０ｎｍの相対強度が０．６５以上０．８０以下である。波長６２０ｎｍの相対強度は、例えば、０．６７７以上であってもよく、また０．７７３以下であってもよい。なお、第１波長域のピークトップの発光強度を１としたときの波長６２０ｎｍの相対強度は、発光強度の測定結果から算出することができる。
【００３６】
本発明の色較正用ビュアーは、波長５０５ｎｍの発光強度をＡとし、波長６２０ｎｍの発光強度をＢとしたとき、ＡおよびＢの比率（Ａ／Ｂ）は、１．００以上１．４６以下である。ＡおよびＢの比率（Ａ／Ｂ）は、例えば、１．１１以上であってもよく、また１．３７以下であってもよい。
【００３７】
本発明の色較正用ビュアーは、第１波長域のピークトップの発光強度を１としたとき、波長３９０ｎｍ以上４３０ｎｍ以下である第２波長域のピークトップの相対強度が０．６０以上１．００以下であることが好ましい。ＣＩＥ標準光源Ｄ６５により近似した色較正用ビュアーとすることができるからである。第２波長域のピークトップの相対強度は、例えば、０．６３８以上であってもよく、また０．９５０以下であってもよい。
【００３８】
ここで、「第２波長域のピークトップ」とは、第２波長域である波長３９０ｎｍ以上４３０ｎｍ以下の領域にあるピークトップであり、例えば、図１０に示す第２波長域における矢印の地点をいう。
【００３９】
第２波長域は、波長３９０ｎｍ以上４３０ｎｍ以下の領域であり、第２波長域は、例えば、波長４００ｎｍ以上であってもよく、波長４０５ｎｍ以上であってもよい。また、第２波長域は、例えば、４２０ｎｍ以下であってもよく、４１５ｎｍ以下であってもよい。さらには、第２波長域は、波長４１３ｎｍであってもよい。
【００４０】
本発明の色較正用ビュアーは、第１波長域のピークトップの発光強度を１としたとき、波長５６０ｎｍの相対強度が、０．７０以上０．８５以下であることが好ましい。波長５６０ｎｍの相対強度は、例えば、０．７５５以上であってもよく、また０．８２４以下であってもよい。なお、第１波長域のピークトップの発光強度を１としたときの波長５６０ｎｍの相対強度は、発光強度の測定結果から算出することができる。
【００４１】
Ｂ．色較正用ビュアーの構成
本発明の色較正用ビュアーの構成は、上述した所定のスペクトル特性が得られれば特に限定されない。色較正用ビュアーの構成について、図を参照しながら説明する。図１１は、本発明の色較正用ビュアーの一例を示す模式図である。図１１に示すように、色較正用ビュアー１００は、例えば、光源１が配置された筐体２と、光源１から照射される光の出射面に開口部が形成された上蓋３とを有する。また、光源１の光の出射面側には、透過率調整層４、光拡散板５および輝度分布調整板６を配置していてもよい。なお、図１１は、光源１としてＬＥＤチップ１ａを用いた例である。また、ＬＥＤチップ１ａは、ＬＥＤ基板１ｂの一方の面側に配置され、ＬＥＤ基板１ｂのＬＥＤチップ１ａが配置された面とは反対側の面にはヒートシンク７を備える。さらに光源１は、調光回路８およびコンバーター９によって、筐体２を介して電気的に接続される。図１１における符号１０は電源スイッチを示し、符号１１は電源ケーブルを示す。
【００４２】
光源としては、色較正セットに用いることができ、カラーチャートに光を照射することができる部材であれば特に限定されない。このような光源としては、例えば、ＬＥＤや有機ＥＬ等が挙げられ、特にＬＥＤを用いることが好ましい。ここで、「ＬＥＤ」とは発光ダイオードの総称であり、「ＥＬ」とはエレクトロルミネッセンスの総称である。
【００４３】
ＬＥＤは、色較正用ビュアーに光源としての機能を付与する発光素子である。ＬＥＤとしては、一般的に公知のものを適宜選択することができるが、例えば、色較正用ビュアーが上述した所定のスペクトル特性を発揮できるようなものを選択することが好ましい。すなわち、ＬＥＤ自体のスペクトル特性に応じて選択することが好ましい。本発明においては、例えば、白色発光することが可能なＬＥＤを用いることが好ましく、具体的には、紫励起ＬＥＤ、青励起ＬＥＤ等が挙げられる。また、赤色ＬＥＤ、緑色ＬＥＤおよび青色ＬＥＤ等のスペクトルの異なるＬＥＤを複数組み合わせることで白色発光するＬＥＤの複合品が挙げられる。本発明においては、特に紫励起ＬＥＤを用いることが好ましい。
【００４４】
紫励起ＬＥＤは、例えば、紫ＬＥＤチップと複数の蛍光体を組み合わせることで構成され、図８に示すような発光スペクトルを有する。なお、紫励起ＬＥＤの発光強度の測定は、上述した色較正用ビュアーの発光強度の測定方法と同様とすることができるため、ここでの記載は省略する。
【００４５】
透過率調整層は、光源から出射される光の各波長に対する透過率を調整する機能を有する層である。このような透過率調整層は、光源とともに用いることで、光源から出射される光が所望の発光スペクトルを示すように調整することが可能となる。したがって、光源とともに透過率調整層を用いることで、ＣＩＥ標準光源Ｄ６５に近似した色較正用ビュアーとすることが可能となる。
【００４６】
透過率調整層は、必要に応じてその他の機能を有する機能層と併用してもよい。透過率調整層を、その他の機能を有する機能層と併用する場合、例えば、光源から出射された光を拡散する光拡散機能を有する光拡散層と併用することが好ましい。また、透過率調整層を光拡散層と併用する場合、透過率調整層および光拡散層は、別体であってもよく、一体であってもよい。後者である場合、透過率調整層は、光拡散層としての光拡散機能を有することとなる。具体例としては、例えば、図８に示すような発光スペクトルを有する紫励起ＬＥＤと、光拡散層としての光拡散機能を有する透過率調整層とを組み合わせた例が挙げられる。この場合には、色較正用ビュアーは、図８に示すようなスペクトル特性が得られる。色較正用ビュアーの発光スペクトルは、光源の発光スペクトルと透過率調整層の透過スペクトルとをかけることで算出することができる。なお、図８における透過率調整層は、光拡散機能を有する、いわゆる光拡散層を用いた例である。また、光拡散層の透過スペクトルは、次のような方法により算出することができる。まず、光源としてＬＥＤや蛍光灯等を用いて、そのスペクトルデータを分光放射計にて測定する。その状態で、光源と分光放射計との間に光拡散層を配置し、スペクトルデータを測定する。元の光源スペクトルデータに対して、光源と光拡散層とを合わせたスペクトルデータを波長毎に割り返すことで、光拡散層が透過したスペクトルを算出することができる。
【００４７】
光拡散層の材料は、所望の光拡散機能を発揮することができる材料であればよく、一般的に公知の材料を用いることができる。光拡散層は、例えば、透明樹脂と、透明樹脂に分散された光拡散粒子とを有していてもよい。透明樹脂としては、例えば、２液硬化型ウレタン系樹脂、エポキシ系樹脂等の熱硬化性樹脂、アクリル系樹脂、塩化ビニル−酢酸ビニル共重合体、スチレン系樹脂等の熱可塑性樹脂、或いは電子線や紫外線等の電離放射線で硬化する電離放射線硬化性樹脂等が挙げられる。光拡散粒子としては、例えば、シリカ（二酸化珪素）、アルミナ（酸化アルミニウム）、アクリル樹脂、ポリカーボネート樹脂等の粒子が挙げられる。なお、これらの単一粒子の平均粒径（平均直径）は０．５μｍ以上１００μｍ以下程度とすることができる。また、粒子形状は、球、回転楕円体、多面体、截頭多面体、鱗片形状、針状形状等であってもよい。なお、本発明においては、上述した以外にも、光拡散機能を有する層を光拡散層として用いることができ、例えば、特開２０１１−１２４０２３号公報に記載された光拡散層等が挙げられる。
【００４８】
本発明の色較正用ビュアーは、上述した光源および透過率調整層の他にも、必要に応じて他の構成を有していてもよい。他の構成としては、例えば、図１１に示すような輝度分布調整板６が挙げられる。輝度分布調整板は、光源の出射面の輝度の均一性を向上させるための部材であり、輝度調整のための調光回路を有していてもよい。
【００４９】
Ｃ．色較正用ビュアーの輝度特性
本発明の色較正用ビュアーは、後述する色較正セットにおいて光源として用いられる。色較正用ビュアーの輝度特性は、色較正セットの光源として用いることができる程度であればよく、特に限定されない。例えば、色較正用ビュアーの中心色温度は、６１７９Ｋ以上６８２９Ｋ以下であってもよい。なお、中心色温度の測定は、例えば、コニカミノルタ製  分光放射輝度計ＣＳ−２０００や、トプコン製  ２Ｄ分光放射計 ＳＲ−５０００等により測定することができる。また、色較正用ビュアーの中心輝度は、例えば、４５０ｃｄ／ｍ２以上５３００ｃｄ／ｍ２以下であってもよく、８５０ｃｄ／ｍ２以上４６００ｃｄ／ｍ２以下であってもよい。なお、中心輝度の測定は、例えば、コニカミノルタ製  ２次元色彩輝度計  ＣＡ−２０００や、トプコン製  ２Ｄ分光放射計 ＳＲ−５０００等により測定することができる。
【００５０】
Ｄ．色較正用ビュアーの用途
本発明の色較正用ビュアーは、色較正に用いられる。なお、色較正セットについては、後述する「ＩＩ．色較正セット」の項で説明するため、ここでの記載は省略する。
【００５１】
ＩＩ．色較正セット
本発明の色較正セットは、上述した較正用ビュアーと、色較正用カラーチャートとを有し、上記色較正用カラーチャートは、透明基板と、上記透明基板上に形成されたカラーバー群と、を有し、上記カラーバー群は、赤、緑、青、第１色、第２色および白の少なくとも６色のカラーバーが、順不同でパターン状に配列されて構成され、上記第１色の座標点は、ｘｙ色度図上で（０．３５１、０．６４９）、（０．５４７、０．４５３）、（０．３８０、０．５０６）、（０．４３３、０．４６４）の４点に囲まれた領域内にあり、上記第２色の座標点は、ｘｙ色度図上で、（０．１２５、０．４８９）、（０．１１２、０．２２９）、（０．２７０、０．４０７）、（０．２２４、０.２４２）の４点に囲まれる領域内にあり、赤色カラーバーの透過スペクトルのピーク波長が６００ｎｍ以上６８０ｎｍ以下、緑色カラーバーの透過スペクトルのピーク波長が４９５ｎｍ以上５７０ｎｍ以下、青色カラーバーの透過スペクトルのピーク波長が４３０ｎｍ以上４９０ｎｍ以下、第１色カラーバーの透過スペクトルのピーク波長が５４０ｎｍ以上５９５ｎｍ以下、第２色カラーバーの透過スペクトルのピーク波長が４７０ｎｍ以上５１５ｎｍ以下であることを特徴とする。
【００５２】
本発明の色較正セットは、上述した色較正用ビュアーと、所定の色較正用カラーチャートを有することにより、撮像機器の正確な色較正を行うことができる。なお、具体的な効果の説明については、上記「Ｉ．色較正用ビュアー」の項に記載した内容と同様とすることができるため、ここでの記載は省略する。
【００５３】
Ａ．色較正用ビュアー
本発明における色較正用ビュアーは、上記「Ｉ．色較正用ビュアー」の項に記載したものを用いることができる。すなわち、本発明における色較正用ビュアーは、色較正セットに用いられる構成であって、波長４４０ｎｍ以上４７０ｎｍ以下である第１波長域のピークトップの発光強度を１としたとき、波長５０５ｎｍの相対強度が０．８０以上０．９５以下であり、かつ波長６２０ｎｍの相対強度が０．６５以上０．８０以下であり、波長５０５ｎｍの発光強度をＡとし、波長６２０ｎｍの発光強度をＢとしたとき、ＡおよびＢの比率（Ａ／Ｂ）は、１．００以上１．４６以下であることを特徴とする構成である。なお、色較正用ビュアーについての説明は、上記「Ｉ．色較正用ビュアー」の項で説明した内容と同様とすることができるため、ここでの記載は省略する。
【００５４】
Ｂ．色較正用カラーチャート
本発明における色較正用カラーチャートは、透明基板と、上記透明基板上に形成されたカラーバー群と、を有し、上記カラーバー群は、赤、緑、青、第１色、第２色および白の少なくとも６色のカラーバーが、順不同でパターン状に配列されて構成され、上記第１色の座標点は、ｘｙ色度図上で（０．３５１、０．６４９）、（０．５４７、０．４５３）、（０．３８０、０．５０６）、（０．４３３、０．４６４）の４点に囲まれた領域内にあり、上記第２色の座標点は、ｘｙ色度図上で、（０．１２５、０．４８９）、（０．１１２、０．２２９）、（０．２７０、０．４０７）、（０．２２４、０.２４２）の４点に囲まれる領域内にあり、赤色カラーバーの透過スペクトルのピーク波長が６００ｎｍ以上６８０ｎｍ以下、緑色カラーバーの透過スペクトルのピーク波長が４９５ｎｍ以上５７０ｎｍ以下、青色カラーバーの透過スペクトルのピーク波長が４３０ｎｍ以上４９０ｎｍ以下、第１色カラーバーの透過スペクトルのピーク波長が５４０ｎｍ以上５９５ｎｍ以下、第２色カラーバーの透過スペクトルのピーク波長が４７０ｎｍ以上５１５ｎｍ以下であることを特徴とする。
【００５５】
なお、本明細書においては、本発明における色較正用カラーチャートを、広色域カラーチャートやカラーチャートと称して説明する場合がある。また、第１色をＹｅ、第２色をＣｙと称して説明する場合がある。
【００５６】
本発明におけるカラーチャート図を参照して説明する。図１２は、本態様のカラーチャートの一例を示す概略平面図である。また、図１３は、本態様のカラーチャートが示す分光透過スペクトルの一例を示すイメージグラフであり、図１４は、本発明におけるカラーチャートの色域を示すｘｙ色度図である。
【００５７】
カラーチャート２０は、透明基板１２と、透明基板１２上に形成されたカラーバー群１３とを有する。カラーバー群１３の外周には、カラーバー保持枠１５を有していてもよい。カラーバー群１３は、赤色カラーバー１６Ｒ、緑色カラーバー１６Ｇ、青色カラーバー１６Ｂ、第１色カラーバー１６Ｙｅ、第２色カラーバー１６Ｃｙ、および白色カラーバー１６Ｗの、少なくとも６色のカラーバーが、順不同でパターン状に配列されて構成されている。白色カラーバー１６Ｗは通常、透明である。透明基板１２上の各色カラーバーの周囲には、遮光部１４が設けられていてもよい。カラーチャート２０は、図１３で示すような分光透過スペクトル特性を有し、図１４で示すように、ｘｙ色度図上のＷを除く５色の各座標を直線で結んだ五角形で囲まれた色域Ｌ１を有する。なお、図１４中のＬ２は、ｘｙ色度図上のＲ、Ｇ、Ｂの３色の各座標を直線で結んだ三角形で囲まれた色域を示す。以下、同様とする。
【００５８】
カラーチャートは、背面から入射した光が、カラーバー群を構成するＷを除く５色のカラーバーの選択透過性に応じて分光され、可視光領域内において、短波長側から順に、Ｂカラーバー、Ｃｙ（第２色）カラーバー、Ｇカラーバー、Ｙｅ（第１色）カラーバー、およびＲカラーバーの各色の透過スペクトルがそれぞれ出現する。
【００５９】
本発明においては、カラーバー群を構成するＷを除いた各色カラーバーの透過スペクトルが、可視光領域内で所望の間隔でピークを有してバランスよく配置されていることを特徴とする。すなわち、図１３で示すように、カラーチャートは、Ｒカラーバーの透過スペクトル２２（Ｒ）のピーク波長が６００ｎｍ以上６８０ｎｍ以下、Ｇカラーバーの透過スペクトル２２（Ｇ）のピーク波長が４９５ｎｍ以上５７０ｎｍ以下、Ｂカラーバーの透過スペクトル２２（Ｂ）のピーク波長が４３０ｎｍ以上４９０ｎｍ以下にある。
また、Ｙｅカラーバーの透過スペクトル２２（Ｙｅ）のピーク波長が５４０ｎｍ以上５９５ｎｍ以下、Ｃｙカラーバーの透過スペクトル２２（Ｃｙ）のピーク波長が４７０ｎｍ以上５１５ｎｍ以下にある。
【００６０】
また、カラーチャートにおける、Ｗを除く５色のカラーバーの色度座標は、ｘｙ色度図上において図１４で示すように分布する。カラーチャートは、上記ｘｙ色度図上の、５色の各座標を直線で結んだ五角形で囲まれた色域Ｌ１内に包含されるポインターカラーの色を再現および較正することができる。ｘｙ色度図上のカラーバーの色度座標は、カラーバーの分光スペクトルを P(λ）、ＣＩＥで１９３１年に採択したＸＹＺ表色系における等色関数を x_(λ)、 y_(λ)、 z_(λ)、光源の分光分布を S_(λ) とした際に、
X = ∫ (380nm 〜 780nm) P(λ) * x_(λ) * S_(λ) dλ/∫ (380nm 〜 780nm) y_(λ) * S_(λ) dλ
Y = ∫ (380nm 〜 780nm) P(λ) * y_(λ) * S_(λ) dλ/∫ (380nm 〜 780nm) y_(λ) * S_(λ) dλ
Z = ∫ (380nm 〜 780nm) P(λ) * z_(λ) * S_(λ) dλ/∫ (380nm 〜 780nm) y_(λ) * S_(λ) dλ
x = X / (X＋Y＋Z)
y = Y / (X＋Y＋Z)  
z = 1−x−y ( ＝ Z / (X＋Y＋Z)）
にて算出される座標である。上記式はＪＩＳ  Ｚ８７０１にて規定される。
また、ここでは光源の分光分布 S_(λ) はＣＩＥ標準光源Ｄ６５を元としている。図１４中のＷ（Ｄ６５）はＤ６５の白座標とし、上記白座標で示される白を、本明細書内では「Ｄ６５の白」と称する。
【００６１】
本発明によれば、白を除く５色のカラーバーが所定の位置に透過スペクトルのピーク波長を有することで、ｘｙ色度図において所望のポインターカラーを包含するために必要最低限の６色により、可視光領域内の色を網羅することができ、可視光領域内の色を一様に再現することができる。これにより、撮像機器の色較正を正確に行うことができる。
【００６２】
以下、本発明のカラーチャートの各構成について説明する。
【００６３】
１．カラーバー群
カラーバー群は、透明基板上に形成されるものである。カラーバー群は、少なくとも第１色および第２色を含む複数色のカラーバーが、順不同でパターン状に配列されて構成されている。本発明におけるカラーバー群は、例えば、Ｒ、Ｇ、Ｂ、Ｙｅ、ＣｙおよびＷの、少なくとも６色のカラーバーが、順不同でパターン状に配列されて構成されていることが好ましい。なお、「Ｗを除く（除いた）５色」とは、Ｒ、Ｇ、Ｂ、ＹｅおよびＣｙの５色をいう。本明細書内において「５色のカラーバー」とは、別段の定めが無い限り、上記の５色のカラーバーをいうものとする。また、「６色のカラーバー」とは、別段の定めが無い限り、上記の５色およびＷの計６色のカラーバーをいうものとする。後述するように、他の色のカラーバーを含む場合であっても、同様とする。
【００６４】
（１）透過スペクトル
第１色カラーバーの透過スペクトルおよび第２色カラーバーの透過スペクトルは、それぞれ分離したピークトップを有しており、山形波形とすることができる。また、通常は、Ｒ、Ｇ、Ｂのカラーバーの透過スペクトルについても、それぞれ分離したピークトップを有しており、山形波形とすることができる。
【００６５】
（ａ）ピーク波長の規定方法
Ｗを除く５色のカラーバーの透過スペクトルは、波形に応じてピーク波長もしくは基準波長を有する。すなわち、Ｗを除く５色のカラーバーの透過スペクトルは、図１５（ａ）で示すような山形波形を示し、高透過率を示すピーク波長λPを有する。ピーク波長λPは、図１５（ａ）で示すように、透過スペクトルの実測透過率の最大値Ｔmaxを特定し、最大値Ｔmaxの透過率を１００％としたときの相対透過率が５０％となる波長λ1およびλ2を特定し、波長λ1から波長λ2までの波長領域の中心波長とする。また、ピーク波長λPでの実測透過率Ｔを「ピーク波長での透過率（以下、ピーク透過率と称する場合がある。）」とする。
なお、単に「透過率」という場合は、実測の透過率を意味し、「相対透過率」という場合は、特定の波長での実測透過率を１００％として換算した透過率を意味する。
【００６６】
各色カラーバーの透過スペクトルは、オリンパス株式会社  顕微分光測定機ＯＳＰ−ＳＰ２００を用いて、無色(透明)である白色カラーバーをバックグラウンドとして可視光領域３８０ｎｍ〜７８０ｎｍにおける透過率を測定して得られる。また、ｘｙ色度図上における各色の座標を算出する際は、既知であるＤ６５光源スペクトルのデータが用いられる。
以下、上記５色以外の任意色のカラーバーにおいても同様とする。
【００６７】
（ｂ）各色カラーバーのスペクトル特性
以下、カラーバー群を構成する各色カラーバーのスペクトル特性について説明する。
【００６８】
（ｉ）赤色（Ｒ）カラーバー
Ｒカラーバーは、光源における赤色光に対する選択透過性を有する。Ｒカラーバーの透過スペクトルは、分離したピークトップを有することが好ましい。すなわち、Ｒカラーバーの透過スペクトルが、山形波形であることが好ましい。カラーバー群の明るさをより均一にし、かつ、撮像機器のカメラに備わったＩＲカットフィルターによる影響をより一層抑制することで、撮像機器の正確な色較正を行うことが可能となるからである。
【００６９】
Ｒカラーバーの透過スペクトルのピーク波長は、例えば、６００ｎｍ以上６８０ｎｍ以下であることが好ましく、中でも６１０ｎｍ以上６８０ｎｍ以下、特に６２５ｎｍ以上６８０ｎｍ以下であることが好ましい。上記ピーク波長が上記範囲内に無い場合、Ｗを除く５色の透過スペクトルをバランスよく配置した際に、ピークトップの分離が明確にならず、補間色効果が出にくくなるからからである。
【００７０】
また、Ｒカラーバーの透過スペクトルの半値幅としては、１２０ｎｍ以下であることが好ましく、中でも２０ｎｍ以上１００ｎｍ以下、特に３０ｎｍ以上８０ｎｍ以下であることが好ましい。また、上記半値幅の下限としては１０ｎｍとすることができる。上記半値幅が上記範囲内に無い場合、他の色のカラーバーの透過スペクトルとも重複領域を有し、本態様のカラーチャートの色域の赤色領域を十分に広げることが困難となる可能性や、再現可能な色の彩度が低下する恐れがあるからである。なお、透過スペクトルの半値幅とは、透過スペクトルのピーク透過率の半値となる波長の間隔をいい、上述した透過スペクトルの測定（オリンパス株式会社  顕微分光測定機ＯＳＰ−ＳＰ２００使用）による測定結果から算出することができる。以下、他の色のカラーバーについても同様とする。
【００７１】
また、Ｒカラーバーの透過スペクトルは、さらに、ＢＴ．２０２０規格で規定される赤色の透過スペクトルと同等であることが好ましい。つまり、Ｒカラーバーの透過スペクトルのピーク波長が６２０ｎｍ以上６８０ｎｍ以下であり半値幅が１００ｎｍ以下であることが好ましく、ピーク波長が６３０ｎｍ以上６７０ｎｍ以下であり半値幅が８０ｎｍ以下であることがより好ましく、ピーク波長が６３０ｎｍ以上６６０ｎｍ以下であり半値幅が７０ｎｍ以下であることがさらに好ましい。上記Ｒカラーバーの透過スペクトルのピーク波長および半値幅を上記範囲内とすることで、ｘｙ色度図上でのＲカラーバーの座標をＢＴ．２０２０規格で規定される赤色の座標と一致もしくは近似させることができ、本態様のカラーチャートの色域の赤色領域を、ＢＴ．２０２０規格で規定される赤色領域まで広げること可能となるからである。
【００７２】
（ii）緑色（Ｇ）カラーバー
Ｇカラーバーは、光源における緑色光に対する選択透過性を有する。Ｇカラーバーの透過スペクトルは、分離したピークトップを有することが好ましい。すなわち、Ｇカラーバーの透過スペクトルが、山形波形であることが好ましい。カラーバー群の明るさをより均一にし、かつ、撮像機器のカメラに備わったＩＲカットフィルターによる影響をより一層抑制することで、撮像機器の正確な色較正を行うことが可能となるからである。
【００７３】
Ｇカラーバーの透過スペクトルのピーク波長は、例えば、４９５ｎｍ以上５７０ｎｍ以下であることが好ましく、中でも５０５ｎｍ以上５５０ｎｍ以下、特に５１０ｎｍ以上５４０ｎｍ以下であることが好ましい。上記ピーク波長が上記範囲内に無い場合、Ｗを除く５色の透過スペクトルをバランスよく配置した際に、ピークトップの分離が明確にならず、補間色効果が出にくくなるからからである。
【００７４】
また、Ｇカラーバーの透過スペクトルの半値幅としては、Ｇカラーバーの透過スペクトルが、Ｃｙカラーバーの透過スペクトルおよびＹｅカラーバーの透過スペクトルと、一部で重複可能となる波形を示すことが可能であればよい。具体的には、上記半値幅が１００ｎｍ以下であることが好ましく、中でも２０ｎｍ以上８０ｎｍ以下、特に３０ｎｍ以上６０ｎｍ以下であることが好ましい。また、上記半値幅の下限としては１０ｎｍとすることができる。
上記半値幅が上記範囲内に無い場合、他の色のカラーバーの透過スペクトルとも重複領域を有し、本態様のカラーチャートの色域の緑色領域を十分に広げることが困難となる可能性や、再現可能な色の彩度が低下する恐れがあるからである。
【００７５】
また、Ｇカラーバーの透過スペクトルは、ＢＴ．２０２０規格で規定される緑色の透過スペクトルと同等であることが好ましい。つまり、Ｇカラーバーの透過スペクトルのピーク波長が５１０ｎｍ以上５４０ｎｍ以下であり半値幅が８０ｎｍ以下であることが好ましく、ピーク波長が５１５ｎｍ以上５３８ｎｍ以下であり半値幅が６０ｎｍ以下であることがより好ましく、ピーク波長が５２０ｎｍ以上５３５ｎｍ以下であり半値幅が４０ｎｍ以下であることがさらに好ましい。上記Ｇカラーバーの透過スペクトルのピーク波長および半値幅を上記範囲内とすることで、ｘｙ色度図上でのＧカラーバーの座標をＢＴ．２０２０規格で規定される緑色の座標と一致もしくは近似させることができ、本態様のカラーチャートの色域の緑色領域を、ＢＴ．２０２０規格で規定される緑色領域まで広げること可能となるからである。
【００７６】
（iii）青色（Ｂ）カラーバー
Ｂカラーバーは、光源における青色光に対する選択透過性を有する。Ｂカラーバーの透過スペクトルは、分離したピークトップを有することが好ましい。すなわち、Ｂカラーバーの透過スペクトルが、山形波形であることが好ましい。カラーバー群の明るさをより均一にし、かつ、撮像機器のカメラに備わったＩＲカットフィルターによる影響をより一層抑制することで、撮像機器の正確な色較正を行うことが可能となるからである。
【００７７】
Ｂカラーバーの透過スペクトルのピーク波長は、例えば、４３０ｎｍ以上４９０ｎｍ以下であることが好ましく、中でも４３５ｎｍ以上４７５ｎｍ以下、特に４５０ｎｍ以上４７０ｎｍ以下であることが好ましい。上記ピーク波長が上記範囲内に無い場合、Ｗを除く５色の透過スペクトルをバランスよく配置した際に、ピークトップの分離が明確にならず、補間色効果が出にくくなるからからである。
【００７８】
また、Ｂカラーバーの透過スペクトルの半値幅としては、Ｂカラーバーの透過スペクトルが、Ｃｙカラーバーの透過スペクトルと一部で重複可能となる波形を示すことが可能であればよい。具体的には、上記半値幅が１００ｎｍ以下であることが好ましく、中でも２０ｎｍ以上８５ｎｍ以下、特に２５ｎｍ以上５５ｎｍ以下であることが好ましい。また、上記半値幅の下限としては１０ｎｍとすることができる。上記半値幅が上記範囲内に無い場合、他の色のカラーバーの透過スペクトルとも重複領域を有し、本態様のカラーチャートの色域の青色領域を十分に広げることが困難となる可能性や、再現可能な色の彩度が低下するおそれがあるからである。
【００７９】
また、Ｂカラーバーの透過スペクトルは、ＢＴ．２０２０規格で規定される青色の透過スペクトルと同等であることが好ましい。つまり、Ｂカラーバーの透過スペクトルのピーク波長が４５０ｎｍ以上４７２ｎｍ以下であり半値幅が８０ｎｍ以下であることが好ましく、ピーク波長が４５５ｎｍ以上４７０ｎｍ以下であり半値幅が６０ｎｍ以下であることがより好ましく、ピーク波長が４５８ｎｍ以上４６８ｎｍ以下であり半値幅が４０ｎｍ以下であることがさらに好ましい。上記Ｂカラーバーの透過スペクトルのピーク波長および半値幅を上記範囲内とすることで、ｘｙ色度図上でのＲカラーバーの座標をＢＴ．２０２０規格で規定される青色の座標と一致もしくは近似させることができ、本態様のカラーチャートの色域の青色領域を、ＢＴ．２０２０規格で規定される青色領域まで広げること可能となるからである。
【００８０】
（iv）第１色カラーバー
本態様における第１色カラーバーは、ｘｙ色度図上での座標点が、（０．３５１、０．６４９）、（０．５４７、０．４５３）、（０．３８０、０．５０６）、（０．４３３、０．４６４）の４点に囲まれた領域内にあるが、中でも（０．４１７、０．５８３）、（０．４９０、０．５１０）、（０．３８７、０．５０１）、（０．４２１、０.４７４）の４点に囲まれる領域内にあることが好ましく、特に、（０．４３５、０．５６５）、（０．４７２、０．５２８）、（０．４０２、０．５０４）、（０．４２１、０.４８９）の４点に囲まれる領域内にあることが好ましい。
【００８１】
また、第１色カラーバーの透過スペクトルは、分離したピークトップを有する。すなわち、第１色カラーバーの透過スペクトルは、山形波形である。これにより、カラーバー群の明るさをより均一にし、かつ、撮像機器のカメラに備わったＩＲカットフィルターによる影響をより一層抑制することで、撮像機器の正確な色較正を行うことが可能となるからである。
なお、本明細書において、第１色カラーバーをＹｅカラーバーと称して説明する場合がある。
【００８２】
Ｙｅカラーバーは、光源における短波長光および長波長光に対する選択透過性を有する。また、Ｙｅカラーバーの透過スペクトルは、Ｇカラーバーの透過スペクトルとＲカラーバーの透過スペクトルとの間に位置する。
【００８３】
Ｙｅカラーバーの透過スペクトルのピーク波長は、５４０ｎｍ以上５９５ｎｍ以下であればよく、中でも５４５ｎｍ以上５８５ｎｍ以下、特に５６０ｎｍ以上５７５ｎｍ以下であることが好ましい。上記ピーク波長が上記範囲内に無い場合、Ｗを除く５色の透過スペクトルをバランスよく配置した際に、ピークトップの分離が明確にならず、補間色効果が出にくくなるからからである。
【００８４】
Ｙｅカラーバーの透過スペクトルの半値幅としては、Ｙｅカラーバーの透過スペクトルが、Ｇカラーバーの透過スペクトルと、一部で重複可能となる波形を示すことが可能であればよい。具体的には、上記半値幅が１８０ｎｍ以下であることが好ましく、中でも２０ｎｍ以上１７０ｎｍ以下、特に３０ｎｍ以上７０ｎｍｍ以下であることが好ましい。また、上記半値幅の下限としては１０ｎｍとすることができる。上記半値幅が上記範囲内に無い場合、他の色のカラーバーの透過スペクトルとの重複領域が増加するからである。
【００８５】
（v）第２色カラーバー
本態様における第２色カラーバーは、ｘｙ色度図上での座標点が、（０．１２５、０．４８９）、（０．１１２、０．２２９）、（０．２７０、０．４０７）、（０．２２４、０.２４２）の４点に囲まれる領域内にあるが、中でも（０．１２３、０．４３７）、（０．１１５、０．２９６）、（０．２５４、０．３５０）、（０．２４０、０.２９７）の４点に囲まれる領域内であることが好ましく、特に、（０．１３３、０．３８４）、（０．１３０、０．３２０）、（０．２３９、０．３４１）、（０．２３１、０.３１２）の４点に囲まれる領域内であることが好ましい。
【００８６】
また、第２色カラーバーの透過スペクトルは、分離したピークトップを有する。すなわち、第２色カラーバーの透過スペクトルは、山形波形である。これにより、カラーバー群の明るさをより均一にし、かつ、撮像機器のカメラに備わったＩＲカットフィルターによる影響をより一層抑制することで、撮像機器の正確な色較正を行うことが可能となるからである。
なお、本明細書において、第２色カラーバーをＣｙカラーバーと称して説明する場合がある。
【００８７】
Ｃｙカラーバーは、光源における短波長光および中波長光に対する選択透過性を有する。Ｃｙカラーバーの透過スペクトルは、Ｇカラーバーの透過スペクトルとＢカラーバーの透過スペクトルとの間に位置する。
【００８８】
Ｃｙカラーバーの透過スペクトルのピーク波長は、４７０ｎｍ以上５１５ｎｍ以下であればよく、中でも４８０ｎｍ以上５０５ｎｍ以下、特に４９０ｎｍ以上５００ｎｍ以下であることが好ましい。上記Ｃｙカラーバーの透過光のピーク波長が上記範囲内に無い場合、Ｗを除く５色の透過スペクトルをバランスよく配置した際に、ピークトップの分離が明確にならず、補間色効果が出にくくなるからからである。
【００８９】
Ｃｙカラーバーの透過スペクトルの半値幅としては、Ｃｙカラーバーの透過スペクトルが、Ｇカラーバーの透過スペクトルおよびＢカラーバーの透過スペクトルと、一部で重複可能となる波形を示すことが可能であればよい。具体的には、上記半値幅が１５０ｎｍ以下であることが好ましく、中でも２０ｎｍ以上１３０ｎｍ以下、特に３０ｎｍ以上８０ｎｍ以下であることが好ましい。また、上記半値幅の下限としては１０ｎｍとすることができる。上記半値幅が上記範囲内に無い場合、他の色のカラーバーの透過スペクトルとの重複領域が増加し、特にＢおよびＧとは、ｘｙ色度図における色座標上では異なる色彩であっても、分光透過スペクトル上でのスペクトル分離が困難になるからである。
【００９０】
（vi）白色（Ｗ）カラーバー
Ｗカラーバーは、無色で透光性を有し、ブランクとして用いられる。Ｗカラーバーは後述する透明基板とすることができる。また、輝度調整を可能とするため、目に見える範囲の光を均等に吸収できるように設計された無彩色のＷカラーバー（例えば、ＮＤフィルター等）を透明基板上に配置してもよく、透明基板として用いてもよい。
【００９１】
（vii）任意のカラーバー
上記カラーバー群は、上述の６色のカラーバーに加えて、所定の透過スペクトルを有するバイオレット（Ｖ）および近赤外（ＮＩＲ）の２色のカラーバーをさらに含むことが好ましい。Ｗを除く５色のカラーバーに加え、所定の透過スペクトルを示すＶカラーバーおよびＮＩＲカラーバーを含むことで、カラーチャートは、可視光領域内の色を十分に網羅することができ、可視光領域内の色を一様に再現することができる。これにより、カラーチャートを用いた撮像機器の色較正の精度を高めることができる。
【００９２】
また、上記カラーバー群は、上述の６色のカラーバーに加えて、所定の透過スぺクトルを有するオレンジ色（Ｏ）カラーバーをさらに含むことが好ましい。カラーチャートは、所定の透過スペクトルを示すＯカラーバーをさらに含むことで、ピーク波長の間隔が広い黄色と赤色との中間色を補うことができ、可視光領域内の色をバランスよく十分に網羅することができるため、より詳細かつ高精度な色較正が可能となる。
【００９３】
上記カラーバー群は、上述の６色のカラーバーと、所定の透過スペクトルを有するＶカラーバーおよびＮＩＲカラーバーの２色とを含む計８色で構成されていてもよく、上述の６色のカラーバーとＯカラーバーとを含む計７色で構成されていてもよい。さらに、上述の６色のカラーバーと、ＶカラーバーおよびＮＩＲカラーバーならびにＯカラーバーの計３色とを含む計９色で構成されていてもよい。
【００９４】
以下、カラーチャートに含むことが可能な、各色のカラーバーについて説明する。
【００９５】
（バイオレット色（Ｖ）カラーバー）
Ｖカラーバーの透過スペクトルは、光源における短波長光のうち青色光よりも短波長側の光に対する選択透過性を有することから、Ｂカラーバーの透過スペクトルよりも短波長側に位置し、一部がＢカラーバーの透過スペクトルと重複することが好ましい。
【００９６】
Ｖのカラーバーの透過スペクトルは、図１６で示すような山形波形の他に、図１５（ｂ）で示すように、ある波長以下において所定の透過率以上の透過率を示す波形を有し、山形波形とならない場合がある。このため、Ｖのカラーバーの透過スペクトルについては、図１５（ｂ）で示すように、波長４１５ｎｍを基準波長λsとし、基準波長λsでの実測透過率Ｔを「基準波長での透過率（以下、基準透過率とする場合がある。）」とする。Ｖカラーバーの透過スペクトルは、４１５ｎｍを基準波長λsとし、基準波長λsでの透過率を１００％としたときの相対透過率が５０％となる波長（相対波長）λ3が４３５ｎｍ以上４６５ｎｍ以下であることが好ましく、中でも４３５ｍ以上４６０ｎｍ以下、特に４４０ｎｍ以上４５５ｎｍ以下であることが好ましい。相対波長を上記範囲内とすることで、基準波長よりも長波長領域でのスペクトルの波形の広がりを抑え、Ｂカラーバーの透過スペクトルと所望の波長領域で重複することができる。これにより、Ｖカラーバーの透過スペクトルは、Ｂカラーバーの透過スペクトルとピークトップの分離を維持しながらもピーク自体の重複は維持できるため、可視光領域の短波長側を漏れなく評価することができるからである。
【００９７】
Ｖカラーバーの透過スペクトルの、上記基準波長よりも短波長領域では、所定値以上の透過率を示すことが好ましい。「基準波長よりも短波長領域」とは、可視光領域の下限である波長３８０ｎｍ以上であり、基準波長の４１５ｎｍよりも小さい波長領域をいう。Ｖカラーバーの透過スペクトルが基準波長よりも短波長領域で所定値以上の透過率を示すとは、具体的には、基準透過率を１００％としたときの、基準波長よりも短波長領域での相対透過率が５％以上であることが好ましく、８％以上であることがより好ましく、１０％以上であることがさらに好ましい。Ｖカラーバーの透過スペクトルの基準波長よりも短波長領域にある色の再現が可能となるからである。
【００９８】
Ｖカラーバーの透過スペクトルは、基準透過率を１００％としたときの波長４９０ｎｍ以上での相対透過率が５％以下であることが好ましく、中でも３％以下、特に１％以下であることが好ましい。Ｖカラーバーの透過スペクトルの上記波長領域での相対透過率が上述の範囲を超えると、分光透過スペクトル上で、他の色のカラーバーの透過スペクトルとのスペクトル分離が困難となるほか、ｘｙ色度図における色座標に対する再現性が極めて低くなる可能性が高いからである。
【００９９】
（近赤外色（ＮＩＲ）カラーバー）
ＮＩＲカラーバーの透過スペクトルは、光源における長波長光のうち赤色光よりも長波長側の光に対する選択透過性を有することから、Ｒカラーバーの透過スペクトルよりも短波長側に位置し、一部がＢカラーバーの透過スペクトルと重複することが好ましい。
【０１００】
ＮＩＲカラーバーの透過スペクトルは、図１５（ｃ）で示すように、ある波長以上において、所定の透過率以上の透過率を示す波形を有し、山形波形とならない場合がある。このため、ＮＩＲのカラーバーの透過スペクトルについては、図１５（ｃ）で示すように、波長７３０ｎｍを基準波長λtとし、基準波長λtでの実測透過率Ｔを「基準波長での透過率（以下、基準透過率とする場合がある。）」とする。ＮＩＲカラーバーの透過スペクトルは、７３０ｎｍを基準波長λtとし、上記基準波長λtでの透過率を１００％としたときの相対透過率が５０％となる波長（相対波長）λ4が６３０ｎｍ以上７３０ｎｍ以下であることが好ましく、中でも６４０ｎｍ以上７１０ｎｍ以下、特に６５０ｎｍ以上７００ｎｍ以下であることが好ましい。相対波長を上記範囲内とすることで、基準波長よりも短波長領域でのスペクトルの波形の広がりを抑え、Ｒカラーバーの透過スペクトルと所望の波長領域で重複することができる。これにより、ＮＩＲカラーバーの透過スペクトルは、Ｒカラーバーの透過スペクトルとピークトップの分離を維持しながらも、ピーク自体の重複は維持できるため、可視光領域の高波長側を漏れなく評価することができるからである。
【０１０１】
また、ＮＩＲカラーバーの透過スペクトルの、上記基準波長よりも長波長領域では、一定値以上の透過率を示すことが好ましい。「基準波長よりも長波長領域」とは、基準波長である７３０ｎｍよりも大きく、可視光領域の上限である波長７８０ｎｍ以下の波長領域をいう。ＮＩＲカラーバーの透過スペクトルが基準波長よりも長波長領域で一定値以上の透過率を示すとは、具体的には、基準透過率を１００％としたときの、基準波長よりも長波長領域での相対透過率が３０％以上であることが好ましく、５０％以上であることがより好ましく、８０％以上であることがさらに好ましい。ＮＩＲカラーバーの透過スペクトルの基準波長よりも長波長領域にある色の再現が可能となるからである。
【０１０２】
ＮＩＲカラーバーの透過スペクトルは、基準透過率を１００％としたときの波長６２０ｎｍ以下での相対透過率が５％以下であることが好ましく、中でも２％以下、特に１％以下であることが好ましい。ＮＩＲカラーバーの透過スペクトルの上記波長領域での相対透過率が上述の範囲を超えると、分光透過スペクトル上で、他の色のカラーバーの透過スペクトルとのスペクトル分離が困難となるほか、ｘｙ色度図における色座標に対する再現性が極めて低くなる可能性が高いからである。
【０１０３】
（オレンジ色（Ｏ）カラーバー）
Ｏカラーバーの透過スペクトルは、光源における長波長光のうち赤色光よりも短波長側の光に対する選択透過性を有することから、Ｙｅカラーバーの透過スペクトルとＲカラーバーの透過スペクトルとの間に位置することが好ましい。Ｙｅカラーバーの透過スペクトルとＲカラーバーの透過スペクトルとのピーク波長の間隔は広いため、上記の位置にＯカラーバーの透過スペクトルのピーク波長が位置することで、ＹｅとＲとの中間色を補うことができ、上記中間色を再現することが可能となる。
【０１０４】
Ｏカラーバーの透過スペクトルのピーク波長は、５７５ｎｍ以上６２０ｎｍ以下であることが好ましく、中でも５８０ｎｍ以上６１５ｎｍ以下、特に５８５ｎｍ以上６１０ｎｍ以下であることが好ましい。上記ピーク波長が上記範囲内に無い場合、Ｗを除く８色の透過スペクトルをバランスよく配置した際に、ピークトップの分離が明確にならず、補間色効果が出にくくなるからからである。
【０１０５】
Ｏカラーバーの透過スペクトルの半値幅としては、Ｏカラーバーの透過スペクトルが、Ｙｅカラーバーの透過スペクトルおよびＲカラーバーの透過スペクトルと、一部で重複可能となる波形を示すことが可能であればよい。具体的には、上記半値幅が１２０ｎｍ以下であることが好ましく、中でも２０ｎｍ以上１００ｎｍ以下、特に２０ｎｍ以上７０ｎｍ以下であることが好ましい。また、上記半値幅の下限としては１０ｎｍとすることができる。上記半値幅が上記範囲内に無い場合、他の色のカラーバーの透過スペクトルとの重複領域が増加し、特にＹｅ、ＲおよびＮＩＲとはｘｙ色度図における色座標上では異なる色彩であっても、分光透過スペクトル上でのスペクトル分離が困難になるからである。
【０１０６】
Ｏカラーバーの透過スペクトルは、ピーク透過率を１００％としたときの、波長５５０ｎｍ以下および６８０ｎｍ以上での相対透過率が１０％以下であることが好ましく、中でも５％以下、特に３％以下であることが好ましい。Ｏカラーバーの透過スペクトルの、上記波長領域での相対透過率が上述の範囲を超えると、他の色のカラーバーの透過スペクトルとの重複領域が増加し、分光透過スペクトル上でのスペクトル分離が困難となる可能性があるからである。また、カラーチャートによるＯの色再現精度が低下する場合があるからである。
【０１０７】
（マゼンタ色（Ｍｇ）カラーバー）
上記カラーバー群は、マゼンタ色（Ｍｇ）カラーバーを含むことが好ましい。カラーチャートに基づくｘｙ色度図上において、Ｒ座標とＣｙ座標と位置関係、および、Ｂ座標とＹｅ座標との位置関係によりＷ座標の位置を特定することができるが、さらにＧ座標とＭｇ座標との位置関係を考慮することで、基準色であるＤ６５のＷ座標の位置をより正確に特定することができる。
【０１０８】
Ｍｇカラーバーは、光源における赤色光および青色光に対する選択透過性を有する。Ｍｇカラーバーの透過スペクトル２２（Ｍｇ）は、図１７で示すように、Ｒカラーバーの透過スペクトル２２（Ｒ）のピーク波長付近に第１の透過ピーク（以下、第１のピーク波長とする。）を有し、Ｂカラーバーの透過スペクトル２２（Ｂ）のピーク波長付近に第２の透過ピーク（以下、第２のピーク波長とする。）を有することが好ましい。
【０１０９】
Ｍｇカラーバーの透過スペクトルは、第１のピーク波長が５６７ｎｍ以上７８０ｎｍ以下にあることが好ましく、中でも５９０ｎｍ以上７１０ｎｍ以下、特に６１０ｎｍ以上６８０ｎｍ以下にあることが好ましい。また、第２のピーク波長が３８０ｎｍ以上４９５ｎｍ以下にあることが好ましく、中でも４００ｎｍ以上４８５ｎｍ以下、特に４３０ｎｍ以上４７０ｎｍ以下にあることが好ましい。Ｍｇカラーバーの透過スペクトルの各ピーク波長が上記範囲内に無い場合、マゼンタと補色関係にある緑とを混合して白を再現する際に、いかなる混合比であってもＤ６５となる白を得ることが困難となるからである。また、Ｍｇカラーバーの透過スペクトルの半値幅によらず、ｘｙ色度図上において指定の色座標に落ち仕込むことが困難となるからである。
【０１１０】
（その他）
カラーチャートの分光透過スペクトルにおいては、可視光領域において隣り合う透過スペクトルが一部で重複することで、混色に含まれる各色成分の混合割合を正確に特定することができ、混色の色再現精度および色較正精度を向上することができる。
【０１１１】
（２）ｘｙ色度図
次に、上記カラーバー群によりカラーチャートが示すｘｙ色度図について説明する。カラーチャートは、Ｗを除く５色のカラーバーの色度座標が、ｘｙ色度図上において図１４で示すように分布する。図１４で示すｘｙ色度図上のＲ、Ｇ、Ｂ、Ｙｅ、およびＣｙの各座標（ｘ、ｙ）としては、例えば、Ｒ（０．７０８、０．２９１）、Ｇ（０．１８７、０．７５１）、Ｂ（０．１３７、０．０４９）、Ｙｅ（０．４４８、０．５３８）、Ｃｙ（０．１４１、０．３３９）とすることができる。
【０１１２】
カラーチャートは、ｘｙ色度図上において、５色の各座標を直線で結んだ五角形で囲まれた色域内に包含されるポインターカラーを再現および較正することができる。カラーバー群を構成する各カラーバーが上述の透過スペクトルを示すことから、従来のカラーチャートよりも広域の色域を有することができる。
【０１１３】
白を除く５色の上記カラーバーのｘｙ色度図上での座標を直線で結んだ五角形内に包含されるポインターカラーの包含率が、例えば、９０．３％以上であることが好ましく、中でも９９．９％以上であることが好ましく、さらには１００％であること、すなわち、上記五角形内にポインターカラーを全て含むことが好ましい。白を除く５色の座標を直線で結んだ五角形内がカラーチャートの色域となり、上記色域がポインターカラーを十分に包含することで、可視光領域内の色を十分に網羅することができる。これにより、実在する物体色をより正確に再現することができるため、撮像機器の色較正を高精度で行うことができるからである。
【０１１４】
カラーチャートが、上記カラーバー群にＶカラーバー、ＮＩＲカラーバーおよびＯカラーバーを含む場合、Ｗを除く８色のカラーバーの色度座標が、ｘｙ色度図上において図１８で示すように分布する。図１８で示すｘｙ色度図上の、Ｖ、ＮＩＲ、およびＯの各座標（ｘ、ｙ）としては、例えば、Ｖ（０．１６４、０．０１３）、ＮＩＲ（０．７２４、０．２７２）、Ｏ（０．６４７、０．３５２）とすることができる。
【０１１５】
カラーチャートは、上記カラーバー群に含まれる色の数に応じて、ｘｙ色度図上の色域の範囲を拡張することができる。例えば、上記カラーバー群が、６色のカラーバーに加えてさらにＶカラーバーおよびＮＩＲカラーバーを含む計８色で構成される場合、カラーチャートは、ｘｙ色度図上において、Ｗを除く７色の各座標を直線で結んだ七角形で囲まれた色域内に包含されるポインターカラーを再現および較正することができる。また、上記カラーバー群が、６色のカラーバーに加えてさらにＯカラーバーを含む計７色で構成される場合、カラーチャートは、ｘｙ色度図上において、Ｗを除く６色の各座標を直線で結んだ六角形で囲まれた色域内に包含されるポインターカラーを再現および較正することができる。さらに、上記カラーバー群が、６色のカラーバーに加えてさらにＶカラーバー、ＮＩＲカラーバーおよびＯカラーバーを含む計９色で構成される場合、本態様のカラーチャートは、ｘｙ色度図上において、Ｗを除く８色の各座標を直線で結んだ八角形で囲まれた色域内に包含されるポインターカラーを再現および較正することができる。このように、カラーバー群を構成するカラーバーの色の種類を増やすことで、より広域の色域を有することができる。カラーバー群が、上述の７色、８色または９色で構成される場合の、ｘｙ色度図上での座標を直線で結んだ多角形内に包含されるポインターカラーの包含率は、５色のカラーバーによる五角形内に包含されるポインターカラーの包含率と同様とすることができる。
【０１１６】
上述したように、カラーチャートの分光透過スペクトルにおいて、Ｒ、Ｇ、およびＢの各色カラーバーの透過スペクトルのピーク波長および半値幅は、所定の範囲内にあることが好ましい。カラーチャートの、ｘｙ色度図上における三原色の座標を直線で結んだ三角形で規定される色域（図１４中のＬ２）を、ＢＴ．２０２０規格における三原色の座標で規定される色域に近付けることができ、ＢＴ．２０２０規格が適用される撮像機器の色較正に対応可能となるからである。また、各色座標に対して、透過スペクトルの波形にさまざまな波形形状を持たせることができるため、各色に対して透過スペクトルのピーク波長の位置とあわせて半値幅を設定することで、カラーチャートは、透過スペクトルによる色再現性を確保することができるからである。
【０１１７】
図１９で示すように、Ｃｙカラーバーのｘｙ色度図上での座標（以下、Ｃｙ座標とする。）が、上記Ｒカラーバーのｘｙ色度図上での座標（Ｒ座標）とＷ（６５）座標とを結ぶ線の延長線上であり、且つ、ＢＴ．２０２０規格で規定される色域の外周上若しくは上記色域の外側に位置し、上記Ｙｅカラーバーのｘｙ色度図上での座標（以下、Ｙｅ座標とする。）が、上記Ｂカラーバーのｘｙ色度図上での座標（Ｂ座標）とＷ（Ｄ６５）座標とを結ぶ線の延長線上であり、且つ、ＢＴ．２０２０規格で規定される色域の外周上若しくは上記色域の外側に位置することが好ましい。ｘｙ色度図上において、Ｃｙ座標の位置をＷ（Ｄ６５）座標とＲ座標とを結ぶ線の延長線上とし、Ｙｅ座標の位置をＷ（Ｄ６５）座標とＢ座標とを結ぶ線の延長線上とすることにより、補色関係にあるシアンおよび赤もしくは黄および青のそれぞれの組み合わせを適度な比率で混合してＤ６５となる白を再現することができ、ホワイトバランスの高精度な調整が可能となるからである。また、Ｃｙ座標およびＹｅ座標の位置は、ＢＴ．２０２０規格で規定される色域の外周上のほか、上記色域の外側に位置してもよく、これにより本態様のカラーチャートを用いて色再現が可能な色域を広げることができる。
【０１１８】
中でも、Ｃｙ座標がＲ座標とＷ座標とを結ぶ線の延長線と上記三角形の辺との交点であり、Ｙｅ座標がＢ座標とＷ座標とを結ぶ線の延長線と上記三角形の辺との交点であることが好ましい。ｘｙ色度図上で、Ｃｙ座標が上記三角形上にあると、緑および青を適当な混合比で混合して得られるシアンと本態様のカラーチャートのＣｙカラーバーが示すシアンとが同じであるか検証することができ、且つ、シアンおよび赤の混合により得られる白がＤ６５の白であるかの検証を行うことが可能となる。また、Ｙｅに関しても同様に、ｘｙ色度図上で、Ｙｅ座標が上記三角形上にあると、緑および赤を適当な混合比で混合して得られる黄とカラーチャートのＹｅカラーバーが示す黄色とが同じであるか検証することができ、且つ、黄および青の混合により得られる白がＤ６５の白であるかの検証を行うことが可能となる。このようにカラーチャートは、ｘｙ色度図上のＣｙ座標およびＹｅ座標が上記の位置にあることで、シアンおよび赤、ならびに黄および青の、それぞれの混合により得られる同じ白を、Ｄ６５の白に較正することができる。
【０１１９】
さらに、上記カラーバー群がＭｇカラーバーを含む場合は、Ｍｇカラーバーのｘｙ色度図上での座標（以下、Ｍｇ座標とする。）が、上記Ｇカラーバーのｘｙ色度図上での座標（Ｇ座標）と上記Ｗ座標とを結ぶ線の延長線上にあることが好ましく、中でも、上記延長線上でありかつ上記三角形の辺上にあることが好ましい。ｘｙ色度図上において、Ｍｇ座標の位置をＷ（Ｄ６５）座標とＧ座標とを結ぶ線の延長線上とすることで、補色関係にある赤およびシアン、青および黄色、ならびに緑およびマゼンダのそれぞれの組み合わせを適度な比率で混合してＤ６５となる白を再現することができる。これにより、本態様のカラーチャートは、白の較正およびホワイトバランスの調整をより正確に行うことができるからである。Ｍｇカラーバーを含む場合、色域を規定する各色座標としてＭｇ座標は含まないものとする。
【０１２０】
Ｃｙ、Ｙｅ、およびＭｇの各色のカラーバーの透過スペクトルは、ｘｙ色度図上のＣｙ、Ｙｅ、およびＭｇの各座標の位置に応じて、ピーク波長の位置や半値幅を適宜調整して設計することができる。Ｃｙカラーバーの透過スペクトルは、Ｃｙの座標を調整するために、Ｗ（Ｄ６５）の色座標位置から目標とするＣｙの色座標に対して直線を引いたその延長線とｘｙ色度図の外周曲線に沿った波長位置とが交わったところを、ピーク位置の目安とすることができる。また、Ｃｙカラーバーの透過スペクトルの半値幅は、隣接する他の透過スペクトルのピーク位置と干渉しないよう設定することができる。上記半値幅が小さいほど彩度が高く、大きいほど彩度が低くなるので、Ｃｙの目標とする座標位置に応じて半値幅を変更することが可能である。Ｙｅカラーバーの透過スペクトルについても同様である。また、Ｍｇに関しては、ｘｙ色度図上にて目標とするＭｇ座標を通過する直線を引く事が可能な、ＢカラーバーもしくはＶカラーバーのピーク波長位置およびＲカラーバーもしくはＮＩＲカラーバーのピーク波長位置に、それぞれ、Ｍｇカラーバーの透過スペクトルの第１ピークおよび第２ピークを設定することができる。Ｍｇカラーバーの透過スペクトルの半値幅は、Ｍｇの目標とする座標位置に応じて変更することができる。
【０１２１】
（３）カラーバーおよびカラーバー群の構造
各色カラーバーは、所望の透過スペクトルを示す部材であればよく、例えば、バンドパスフィルタ、染色基板を用いることができる。染色基板は、染色法により形成することができ、例えば、臭化カリウムを硝酸銀の溶液をゼラチンに加えて調製した銀塩乳剤を用い、上記銀塩乳剤をガラス板等のチップ基板上に塗布し、乾燥して得た銀塩写真乾板から脱銀し、カラーバーの色に応じた染料により染色することで、形成することができる。また、染色基板は、ゼラチン（溶液）にあらかじめ染料を混合し、所定の色にした材料をガラス板等のチップ基板に塗布して形成することもできる。
【０１２２】
各色カラーバーの形成に際し、カラーバーの透過スペクトルのピーク波長位置は、カラーバーの種類やその形成方法に応じて調整が可能である。例えば、１種の染料を用いた染色基板をカラーバーとして用いる場合であれば、染料の濃度を調整することで、カラーバーの透過スペクトルのピーク波長も調整できる。また、２種以上の染料を配合して形成した染色基板をカラーバーとして用いる場合であれば、２種の染料の配合比率を変えることで、カラーバーの透過スペクトルのピーク波長を調整することができる。具体的には、Ｇカラーバーであれば、黄色系染料および青色系染料の２種を用いて染色法により形成することができるが、ピーク波長を長波長側へシフトさせる際は黄色系染料の配合比率を増やし、短波長側へシフトさせる際は青色系染料の配合比率を増やすことで、ピーク波長位置を調整することができる。
【０１２３】
カラーバーのサイズ等については特に限定されず、カラーチャートの用途等に応じて所望の効果を奏しやすくなるように、適宜設計することができる。
【０１２４】
カラーバー群において、各色カラーバーは順不同でパターン状に配列される。各色カラーバーの配列パターンとしては、図１２で例示するように一列にラインパターン状に配列されていてもよく、例示しないが格子パターン状や円形状に配列されていてもよい。また、各色カラーバーの配列順については特に限定されず、カラーチャートの用途等に応じて所望の効果を奏しやすくなるように、適宜設計することができる。
【０１２５】
各色カラーバーは、例えば、蒸着法、染色法、印刷法、転写法、インクジェット法等の、従来公知の方法を用いて形成することができる。染色法によるカラーバーの形成方法については、上述したのでここでの説明は省略する。また、カラーバー群は、例えば、上述の方法で形成した各色カラーバーを、後述する透明基板の片面に所望のパターンで配列し、上記透明基板とカバーガラスとで挟持して形成することができる。
【０１２６】
２．遮光部
カラーチャートは、通常、上記透明基板上の、上記カラーバー群の外周に遮光部が設けられる。遮光部としては、所望の遮光性を有するものであればよく、例えば、クロム薄膜等の金属膜、黒色インキで形成された印刷層等が挙げられる。遮光部の形成方法については、使用する材料に応じて従来公知の方法を用いることができる。
【０１２７】
３．透明基板
本発明における透明基板としては、カラーバー群および遮光部を支持することができ、所望の光透過性を有するものであれば特に限定されず、従来公知のカラーチャートに用いられる透明基板と同様とすることができる。具体的には、ガラス基板等の無機基板や樹脂基板を用いることができる。樹脂基板は、板状の他、フィルムやシートであってもよい。
【０１２８】
４．その他
カラーチャートは、上述の構成の他に、アライメントマーク、認識コード、カバーガラス、カラーバー保持枠、遮光部付きの透明保護板等を有していてもよい。認識コードは、例えば、テストチャートの情報等を記録したコードとすることができる。また、アライメントマークは、位置情報が記録されたマークとすることができるが、さらにテストチャートの情報等が記録された認識コードとして機能してもよい。これらは、遮光部付きの透明保護板上に設けられていてもよい。
【０１２９】
また、カラーチャートは、ＩＲカットフィルターを有していてもよい。各色カーバーが染色法により形成される場合、染料の特性上、透過スペクトルが６５０ｎｍ以上の波長領域において光を透過しやすい傾向があり、高い光透過率を有してしまう。特にＹｅ、Ｏ、Ｒカラーバーに用いられる染料は、６５０ｎｍ付近から長波長側の光を吸収しにくい傾向にある。このため、長波長域では、各色の透過スペクトルが重複してしまう。これに対し、カラーバーに所定領域を除去するＩＲカットフィルターを合わせることで、各色の透過スペクトルを分離することができ、色の混色を防ぐことが可能となる。ＩＲカットフィルターは、各色カラーバーの透過スペクトル特性に合わせて、遮断する波長領域を検討して選択することができる。ＩＲカットフィルターは、従来公知のものを用いることができる。
【０１３０】
カラーチャートは、適応される撮像画像に応じて、サイズを設計することができる。例えば、カラーチャートを、撮像機器により等倍で撮像された測定試料の出力画像の色評価および色補正に使用する場合、撮像画像サイズに応じたサイズのカラーバー群が形成されたマクロ撮像用カラーチャートとすることができる。
【０１３１】
本発明は、上記実施形態に限定されるものではない。上記実施形態は、例示であり、本発明の特許請求の範囲に記載された技術的思想と実質的に同一な構成を有し、同様な作用効果を奏するものは、いかなるものであっても本発明の技術的範囲に包含される。
【実施例】
【０１３２】
以下に実施例を示し、本発明をさらに詳細に説明する。【０１３３】
[参考例１〜６]
シミュレーションにより、ＣＩＥ標準光源Ｄ６５に近似した色較正用ビュアーのスペクトル特性について検討した。結果は、図１０、表１に示す。【０１３４】
【表１】
2019078288.tif 000003
【０１３５】
［実施例］
紫励起ＬＥＤと、光拡散層としてアクリル樹脂８８％以上のアクリル系樹脂板（厚み：２ｍｍ）とを組み合わせて、色較正用ビュアーとした。得られた色較正用ビュアーのＣＩＥＬＡＢ空間における色差ΔＥ＊ａｂおよび発光強度を測定した。結果は、図７、図８、表２に示す。また、得られた色較正用ビュアーの平均演色評価数（Ｒａ）、演色評価数（Ｒ１〜Ｒ８）および特殊演色評価数（Ｒ９〜Ｒ１５）を用いて、ＣＩＥ標準光源Ｄ６５と３種のＬＥＤ光源との色差を比較した。結果は、図２０に示す。
なお、光強度の測定は、トプコン社製ＳＲ−３を用い、上述した測定条件下で測定した値を用いた。【０１３６】
【表２】
2019078288.tif 000004
【０１３７】
図７、図８および表２に示す実施例の結果から、本発明の色較正用ビュアーが、ＣＩＥ標準光源Ｄ６５に近似した光源であることが明らかとなった。なお、詳細な説明は、上述した図７、図８の説明で記載した内容と同様とすることができるため、ここでの記載は省略する。また、図２０に示す平均演色評価数（Ｒａ）、演色評価数（Ｒ１〜Ｒ８）および特殊演色評価数（Ｒ９〜Ｒ１５）においても、本発明の色較正用ビュアーがＣＩＥ標準光源Ｄ６５に近似した光源であることが示された。
【符号の説明】
【０１３８】
１    …  光源
２    …  筐体
３    …  上蓋
４    …  透過率調整層
５    …  光拡散層
６    …  輝度分布調整板
７    …  ヒートシンク
８    …  調光回路
９    …  コンバーター
１０  …  電源スイッチ
１１  …  電源ケーブル
１２  …  透明基板
１３  …  カラーバー群
１４  …  遮光部
１５  …  カラーバー保持枠
１６  …  カラーバー
２０  …  透過型色較正用カラーチャート（カラーチャート）
１００…  色較正用ビュアー
【図１】
2019078288.tif 000005
【図２】
2019078288.tif 000006
【図３】
2019078288.tif 000007
【図４】
2019078288.tif 000008
【図５】
2019078288.tif 000009
【図６】
2019078288.tif 000010
【図７】
2019078288.tif 000011
【図８】
2019078288.tif 000012
【図９】
2019078288.tif 000013
【図１０】
2019078288.tif 000014
【図１１】
2019078288.tif 000015
【図１２】
2019078288.tif 000016
【図１３】
2019078288.tif 000017
【図１４】
2019078288.tif 000018
【図１５】
2019078288.tif 000019
【図１６】
2019078288.tif 000020
【図１７】
2019078288.tif 000021
【図１８】
2019078288.tif 000022
【図１９】
2019078288.tif 000023
【図２０】
2019078288.tif 000024
【国際調査報告】
2019078288.tif 000025
2019078288.tif 000026
2019078288.tif 000027
2019078288.tif 000028